(57)【要約】【課題】撮影レンズの画角に基づいて、表示装置に表示した画像の表示を変更すること。【解決手段】カメラ１００は、表示装置に画像を表示する画像表示手段と、撮影レンズを特定するためのレンズ情報を表示装置に表示するレンズ情報表示手段と、レンズ情報表示手段によって表示されたレンズ情報の中から、使用者からの指示に基づいて１つのレンズ情報を選択する選択手段と、選択手段によって選択されたレンズ情報に基づいて、該レンズ情報によって特定される撮影レンズの画角を特定する特定手段と、特定手段によって特定された撮影レンズの画角に基づいて、表示装置に表示した画像の表示を変更する変更手段とを備える。【選択図】図１
2013174719.tif 000002
【特許請求の範囲】
【請求項１】
表示装置に画像を表示する画像表示手段と、
撮影レンズを特定するためのレンズ情報を前記表示装置に表示するレンズ情報表示手段と、
前記レンズ情報表示手段によって表示された前記レンズ情報の中から、使用者からの指示に基づいて１つのレンズ情報を選択する選択手段と、
前記選択手段によって選択された前記レンズ情報に基づいて、該レンズ情報によって特定される撮影レンズの画角を特定する特定手段と、
前記特定手段によって特定された前記撮影レンズの画角に基づいて、前記表示装置に表示した画像の表示を変更する変更手段とを備えることを特徴とする画像表示装置。
【請求項２】
請求項１に記載の画像表示装置において、
前記変更手段は、前記画像表示手段によって表示された前記画像内に、前記特定手段によって特定された前記撮影レンズの画角を示す枠を表示することを特徴とする画像表示装置。
【請求項３】
請求項２に記載の画像表示装置において、
前記変更手段は、前記選択手段によって選択されたレンズ情報がズームレンズのレンズ情報である場合には、前記ズームレンズが対応する焦点距離に応じた複数の画角を示す枠を段階的に表示することを特徴とする画像表示装置。
【請求項４】
請求項２または３に記載の画像表示装置において、
前記変更手段は、前記画角を示す枠の内側と外側との前記画像の表示形態を変更することを特徴とする画像表示装置。
【請求項５】
請求項１に記載の画像表示装置において、
前記変更手段は、前記画像表示手段によって表示された前記画像から、前記特定手段によって特定された前記撮影レンズの画角内の画像を抽出し、抽出した画像を前記表示装置に拡大表示することを特徴とする画像表示装置。
【請求項６】
請求項１〜５のいずれか一項に記載の画像表示装置において、
前記レンズ情報表示手段は、使用者が所有している撮影レンズ、使用者が外出先に持ち出す撮影レンズ、カメラに着脱可能な発売中の撮影レンズの少なくとも１つの撮影レンズに関する前記レンズ情報を前記表示装置に表示することを特徴とする画像表示装置。
【請求項７】
請求項１〜６のいずれか一項に記載の画像表示装置において、
前記レンズ情報表示手段は、複数の撮影レンズの前記レンズ情報を高画質なものから順に一覧表示することを特徴とする画像表示装置。
【請求項８】
請求項７に記載の画像表示装置において、
前記レンズ情報表示手段は、前記レンズ情報の表示順を使用者からの指示に基づいて変更することを特徴とする画像表示装置。
【請求項９】
請求項１〜８のいずれか一項に記載の画像表示装置において、
前記レンズ情報はリスト管理されていることを特徴とする画像表示装置。
【請求項１０】
請求項９に記載の画像表示装置において、
前記レンズ情報のリストは更新可能であることを特徴とする画像表示装置。
【請求項１１】
請求項１〜１０のいずれか一項に記載の画像表示装置を備えたカメラ。
【請求項１２】
表示装置に画像を表示する画像表示手順と、
撮影レンズを特定するためのレンズ情報を前記表示装置に表示するレンズ情報表示手順と、
前記レンズ情報表示手順で表示した前記レンズ情報の中から、使用者からの指示に応じて１つのレンズ情報を選択する選択手順と、
前記選択手順で選択した前記レンズ情報に基づいて、該レンズ情報によって特定される撮影レンズの画角を特定する特定手順と、
前記特定手順で特定した前記撮影レンズの画角に基づいて、前記表示装置に表示した画像の表示を変更する変更手順とをコンピュータに実行させるための画像表示プログラム。
【発明の詳細な説明】
【技術分野】
【０００１】
本発明は、画像表示装置、カメラ、および画像表示プログラムに関する。
【背景技術】
【０００２】
次のような撮影装置が知られている。この撮影装置では、使用者が撮影したい画角や範囲を指定すると、その画角や範囲に応じた焦点距離を表示する（例えば、特許文献１）。
【先行技術文献】
【特許文献】
【０００３】
【特許文献１】特開２００５−３０８７７７号公報
【発明の概要】
【発明が解決しようとする課題】
【０００４】
しかしながら、従来の撮影装置のように焦点距離が表示されるだけでは、使用者は、複数の撮影レンズの中からどの撮影レンズを選択すればよいかを判断することは困難であった。
【課題を解決するための手段】
【０００５】
本発明による画像表示装置は、表示装置に画像を表示する画像表示手段と、撮影レンズを特定するためのレンズ情報を表示装置に表示するレンズ情報表示手段と、レンズ情報表示手段によって表示されたレンズ情報の中から、使用者からの指示に基づいて１つのレンズ情報を選択する選択手段と、選択手段によって選択されたレンズ情報に基づいて、該レンズ情報によって特定される撮影レンズの画角を特定する特定手段と、特定手段によって特定された撮影レンズの画角に基づいて、表示装置に表示した画像の表示を変更する変更手段とを備えることを特徴とする。
本発明によるカメラは、上記の画像表示装置を備えることを特徴とする。
本発明による画像表示プログラムは、表示装置に画像を表示する画像表示手順と、撮影レンズを特定するためのレンズ情報を表示装置に表示するレンズ情報表示手順と、レンズ情報表示手順で表示したレンズ情報の中から、使用者からの指示に応じて１つのレンズ情報を選択する選択手順と、選択手順で選択したレンズ情報に基づいて、該レンズ情報によって特定される撮影レンズの画角を特定する特定手順と、特定手順で特定した撮影レンズの画角に基づいて、表示装置に表示した画像の表示を変更する変更手順とをコンピュータに実行させることを特徴とする。
【発明の効果】
【０００６】
本発明によれば、使用者は、複数の撮影レンズの中からどの撮影レンズを選択すればよいかを容易に判断することができる。
【図面の簡単な説明】
【０００７】
【図１】カメラの一実施の形態の構成を示すブロック図である。
【図２】第１の実施の形態におけるレンズリスト表示処理の流れを示すフローチャート図である。
【図３】プレビュー画像上に表示されるレンズリストの一例を示す第１の図である。
【図４】プレビュー画像内に画角を示す枠を表示した場合の具体例を示す第１の図である。
【図５】プレビュー画像内に画角を示す枠を表示した場合の具体例を示す第２の図である。
【図６】プレビュー画像内に画角を示す枠を表示した場合の具体例を示す第３の図である。
【図７】プレビュー画像内に画角を示す枠を表示した場合の具体例を示す第４の図である。
【図８】プレビュー画像上に表示されるレンズリストの一例を示す第２の図である。
【図９】第２の実施の形態におけるレンズリスト表示処理の流れを示すフローチャート図である。
【発明を実施するための形態】
【０００８】
―第１の実施の形態―
図１は、第１の実施の形態におけるカメラの一実施の形態の構成を示すブロック図である。カメラ１００は、操作部材１０１と、レンズ１０２と、撮像素子１０３と、制御装置１０４と、メモリカードスロット１０５と、モニタ１０６とを備えている。操作部材１０１は、使用者によって操作される種々の入力部材、例えば電源ボタン、レリーズボタン、ズームボタン、十字キー、決定ボタン、再生ボタン、削除ボタンなどを含んでいる。
【０００９】
レンズ１０２は、不図示のマウント部を介してカメラ１００に着脱可能な構成となっている。すなわち、使用者は、レンズ１０２を交換しながら撮影を行うことができる。なお、レンズ１０２は、複数の光学レンズから構成されるが、図１では代表して１枚のレンズで表している。撮像素子１０３は、例えばＣＣＤやＣＭＯＳなどのイメージセンサーであり、レンズ１０２により結像した被写体像を撮像する。そして、撮像によって得られた画像信号を制御装置１０４へ出力する。
【００１０】
制御装置１０４は、撮像素子１０３から入力された画像信号に基づいて所定の画像形式、例えばＪＰＥＧ形式の画像データ（以下、「本画像データ」と呼ぶ）を生成する。また、制御装置１０４は、生成した画像データに基づいて、表示用画像データ、例えばサムネイル画像データを生成する。制御装置１０４は、生成した本画像データとサムネイル画像データとを含み、さらにヘッダ情報を付加した画像ファイルを生成してメモリカードスロット１０５へ出力する。
【００１１】
メモリカードスロット１０５は、記憶媒体としてのメモリカードを挿入するためのスロットであり、制御装置１０４から出力された画像ファイルをメモリカードに書き込んで記録する。また、メモリカードスロット１０５は、制御装置１０４からの指示に基づいて、メモリカード内に記憶されている画像ファイルを読み込む。
【００１２】
モニタ１０６は、カメラ１００の背面に搭載された液晶モニタ（背面モニタ）であり、当該モニタ１０６には、メモリカードに記憶されている画像やカメラ１００を設定するための設定メニューなどが表示される。また、制御装置１０４は、使用者によってカメラ１００のモードがライブビューモードに設定されると、撮像素子１０３から時系列で取得した画像の表示用画像データをモニタ１０６に出力する。これによってモニタ１０６にはスルー画が表示される。
【００１３】
制御装置１０４は、ＣＰＵ、メモリ、およびその他の周辺回路により構成され、カメラ１００を制御する。なお、制御装置１０４を構成するメモリには、ＳＤＲＡＭやフラッシュメモリが含まれる。ＳＤＲＡＭは、揮発性のメモリであって、ＣＰＵがプログラム実行時にプログラムを展開するためのワークメモリとして使用されたり、データを一時的に記録するためのバッファメモリとして使用される。また、フラッシュメモリは、不揮発性のメモリであって、制御装置１０４が実行するプログラムのデータや、プログラム実行時に読み込まれる種々のパラメータなどが記録されている。
【００１４】
本実施の形態におけるカメラ１００のように、レンズ１０２を着脱可能ないわゆるデジタル一眼レフカメラにおいては、ユーザは焦点距離が重複している複数のレンズ１０２が存在する場合に、どのレンズ１０２を選択すべきかを判断するためには、実際にレンズ１０２を付け替えてみる必要があった。本実施の形態では、使用者がレンズ１０２を付け替えなくても、どのレンズ１０２を選択すべきかを判断できるようにするために、図２に示す処理を行う。
【００１５】
本実施の形態では、まず、図２に示す処理の前提として、あらかじめフラッシュメモリ内に複数のレンズ１０２に関するレンズ管理情報を記録しておく。例えば、使用者は、使用者が所有しているレンズ１０２、使用者が外出先に持ち出すレンズ１０２、カメラに着脱可能な発売中のレンズ１０２のレンズ管理情報の少なくとも１つを登録して記録しておく。なお、レンズ管理情報は、例えば用意された登録画面上から使用者が入力するようにし、随時更新できるものとする。各レンズ１０２のレンズ管理情報の登録内容には、例えば、レンズの型名、焦点距離、Ｆ値等の情報が含まれ、複数のレンズ１０２に関する管理情報がリスト管理される。本実施の形態では、レンズの型名は、例えば「ＡＦ  Ｎｉｋｋｏｒ  ８５ｍｍ  Ｆ１．４Ｄ」のように、型名からレンズの性能が把握できるようになっている。具体的には、この型名が付けられたレンズ１０２は、オートフォーカス（ＡＦ）レンズであり、焦点距離は８５ｍｍであり、Ｆ値は１．４であることを示している。
【００１６】
図２は、第１の実施の形態におけるレンズリスト表示処理の流れを示すフローチャートである。図２に示す処理は、使用者によってカメラ１００のモードが上述したライブビューモードに設定された後、上述したレンズ管理情報に基づくレンズ情報一覧（以下「レンズリスト」と呼ぶ）の表示が指示されると起動するプログラムとして、制御装置１０４によって実行される。
【００１７】
ステップＳ１０において、制御装置１０４は、モニタ１０６に画像をプレビュー表示する。ここでは、カメラ１００のモードはライブビューモードに設定されているため、モニタ１０６には上述したスルー画がプレビュー表示される。なお、制御装置１０４は、あらかじめ撮影した動画や静止画をプレビュー表示するようにしてもよい。その後、ステップＳ２０へ進み、制御装置１０４は、上述したように、あらかじめフラッシュメモリに記録されているレンズ管理情報に基づいて、登録済みのレンズ１０２に関する情報を示すレンズリストをプレビュー画像に重畳して表示する。
【００１８】
例えば、制御装置１０４は、図３に示すように、プレビュー画像３ａに重畳して、フラッシュメモリに記録されているレンズ管理情報に基づいて、レンズの焦点距離３ｂ、型名（レンズ名）３ｃ、重量３ｄを一覧表示したレンズリスト３ｅを表示する。このとき、制御装置１０４は、フラッシュメモリに記録されているレンズ管理情報に基づいて、高い画質が得られるレンズ１０２のレンズ情報がリストの上位にくるようにレンズリスト３ｅを表示する。本実施の形態では、例えば、以下の（Ａ）、（Ｂ）の基準に基づいて、どのレンズ１０２がより高い画質を得ることができるかを判定して、レンズリスト３ｅの表示順を決定する。
【００１９】
（Ａ）同じＦ値であればズーム比が低いほうが高画質。
（Ｂ）ズームレンズよりも単焦点レンズのほうが高画質。
【００２０】
使用者は、操作部材１０１を操作することによって、レンズリスト３ｅの中からいずれかのレンズ１０２のレンズ情報を選択することができる。例えば、使用者は、操作部材１０１に含まれる十字キーを操作してカーソルを移動させ、いずれかのレンズ１０２に関するレンズ情報にカーソルを合わせることにより、そのレンズ１０２のレンズ情報を選択することができる。
【００２１】
ステップＳ３０では、制御装置１０４は、使用者によってレンズリスト３ｅの中からいずれかのレンズ１０２のレンズ情報が選択されたか否かを判断する。ステップＳ３０で肯定判断した場合には、ステップＳ４０へ進み、制御装置１０４は、使用者によって選択されたレンズ１０２の画角を特定し、該画角に応じてプレビュー画像３ａの表示内容を変更する。
【００２２】
例えば、図３のプレビュー画像３ａが、３５ｍｍフルサイズフォーマットのカメラに焦点距離５０ｍｍのレンズ１０２を装着して撮影された画像である場合に、使用者によってレンズリスト３ｅから焦点距離が８５ｍｍの単焦点レンズ、例えば、図３に示す型名３ｃが「ＡＦ  Ｎｉｋｋｏｒ  ８５ｍｍ  Ｆ１．４Ｄ」のレンズ情報が選択された場合には、制御装置１０４は、プレビュー画像３ａ内に焦点距離が８５ｍｍの場合の画角を示す枠３ｆを表示する。あるいは、制御装置１０４は、図４に示すように、プレビュー画像３ａ内からレンズリスト３ｅを消去した後に、プレビュー画像３ａ内に焦点距離が８５ｍｍの場合の画角を示す枠４ａを表示する。これによって、使用者は、レンズリスト３ｅ内からいずれかのレンズ１０２のレンズ情報を選択するだけで、そのレンズ１０２を用いて撮影した場合の画角を把握することができる。
【００２３】
また、使用者によってレンズリスト３ｅから焦点距離が８０ｍｍ−２００ｍｍのズームレンズ、例えば、図３に示す型名３ｃが「ＡＦ  Ｚｏｏｍ  Ｎｉｋｋｏｒ  ＥＤ  ８０−２００ｍｍ  Ｆ２．８Ｄ」のレンズ情報が選択された場合には、制御装置１０４は、図５に示すように、プレビュー画像３ａ内に焦点距離が８０ｍｍの場合の画角を示す枠５ａと、焦点距離が２００ｍｍの場合の画角を示す枠５ｂとを表示する。これによって、使用者は、レンズリスト３ｅ内からズームレンズのレンズ情報を選択すれば、そのズームレンズのズーム範囲内の画角を把握することができる。
【００２４】
また、使用者によってレンズリスト３ｅから図３には不図示の焦点距離が３５ｍｍの単焦点レンズのレンズ情報が選択された場合には、制御装置１０４は、図６に示すように、焦点距離５０ｍｍの単焦点レンズを装着して撮影されたプレビュー画像３ａに対して、焦点距離３５ｍｍの単焦点レンズを装着した場合の画角６ａを示す枠を表示する。すなわち、焦点距離５０ｍｍのレンズよりも焦点距離３５ｍｍのレンズの方が画角が広いため、制御装置１０４は、焦点距離３５ｍｍの単焦点レンズを装着した場合の画角を示す枠６ａをモニタ１０６に全画面表示し、プレビュー画像３ａを枠６ａに対する焦点距離３５ｍｍ相当の画角に縮小して、該枠６ａ内に表示する。これによって、使用者は、プレビュー画面３ａよりも広い画角のレンズを選択した場合でも、その画角を把握することができる。
【００２５】
また、使用者によってレンズリスト３ｅからＡＰＳ−Ｃサイズの撮像素子用のズームレンズ、例えば、図３に示す型名３ｃが「ＡＦ−Ｓ  ＤＸ  Ｚｏｏｍ  Ｎｉｋｋｏｒ  ＥＤ  ５５−２００ｍｍ  Ｆ４−５．６Ｇ」のレンズ情報が選択された場合には、制御装置１０４は、図７に示すように、プレビュー画像３ａ内にＡＰＳ−Ｃサイズの出力画角を示す枠７ａと、焦点距離が５５ｍｍの場合の画角を示す枠７ｂと、焦点距離が２００ｍｍの場合の画角を示す枠７ｃとを表示する。これによって、使用者は、レンズリスト３ｅ内からＡＰＳ−Ｃサイズの撮像素子用のズームレンズのレンズ情報を選択すれば、ＡＰＳ−Ｃサイズ出力画角と、そのズームレンズのズーム範囲内の画角を把握することができる。なお、ＡＰＳ−Ｃサイズの出力画角を示す枠７ａは、画角を示す枠７ｂおよび７ｃと表示形態を変えてもよい。例えば、ＡＰＳ−Ｃサイズの出力画角を示す枠７ａは点線で表示し、画角を示す枠７ｂおよび７ｃは実線で表示してもよい。あるいは、ＡＰＳ−Ｃサイズの出力画角を示す枠７ａと画角を示す枠７ｂおよび７ｃとの色を変えてもよい。
【００２６】
その後、ステップＳ５０へ進み、制御装置１０４は、使用者からレンズリスト３ｅの表示終了が指示されたか否かを判断する。ステップＳ５０で否定判断した場合には、ステップＳ３０へ戻って処理を繰り返す。これにより、使用者は、レンズリスト３ｅ内でレンズ情報の選択を切り替えながら、種々のレンズ１０２の画角を確認することができる。これに対して、ステップＳ５０で肯定判断した場合には、処理を終了する。
【００２７】
以上説明した第１の実施の形態によれば、以下のような作用効果を得ることができる。
（１）制御装置１０４は、プレビュー画像３ａ上に重畳してレンズリスト３ｅを表示し、レンズリスト３ｅの中から使用者によって選択されたレンズ情報に基づいて、該レンズ情報によって特定されるレンズ１０２の画角を特定し、特定した画角に基づいて、プレビュー画像３ａ内に、該特定した画角を示す枠を表示するようにした。これによって、使用者は、レンズリスト３ｅ内のレンズ情報を選択するだけで種々のレンズ１０２の画角を把握することができ、容易に複数のレンズ１０２の中からどの撮影レンズを選択すればよいかを判断することができる。
【００２８】
（２）制御装置１０４は、使用者によってレンズリスト３ｅから選択されたレンズ情報がズームレンズのレンズ情報である場合には、プレビュー画像３ａ内に、ズームレンズの最も広角側の焦点距離の画角を示す枠５ａと、最も望遠側の焦点距離の画角を示す枠５ｂとを表示するようにした。これによって、使用者は、レンズリスト３ｅ内からズームレンズのレンズ情報を選択すれば、そのズームレンズのズーム範囲内の画角を把握することができる。
【００２９】
（３）フラッシュメモリに記録するレンズ管理情報は、使用者が所有しているレンズ１０２、使用者が外出先に持ち出すレンズ１０２、カメラに着脱可能な発売中のレンズ１０２の少なくとも１つに関するものであり、制御装置１０４は、これらのレンズ情報をレンズリスト３ｅに含めて表示するようにした。これによって、使用者が画角を確認したい可能性が高いレンズ１０２のレンズ情報をレンズリスト３ｅに含めて表示させることができる。
【００３０】
（４）制御装置１０４は、高い画質が得られるレンズ１０２のレンズ情報がリストの上位にくるようにレンズリスト３ｅを表示するようにした。これによって、使用者が選択する可能性が高いレンズ情報をリストの上位に表示させることができる。
【００３１】
―第２の実施の形態―
第２の実施の形態では、第１の実施の形態で上述したプレビュー画像３ａ内から使用者によって任意の範囲が指定されると、制御装置１０４は、第１の実施の形態と同様にあらかじめフラッシュメモリに登録されているレンズ管理情報に基づいて、使用者によって指定された範囲を撮影可能なレンズ１０２のリストをプレビュー画像３ａ上に重畳表示する方法について説明する。例えば、図８に示すように、使用者がプレビュー画像３ａ内に所定範囲８ａを指定した場合には、制御装置１０４は、該範囲８ａを撮影可能なレンズ１０２のレンズリスト３ｅをプレビュー画像３ａ上に重畳して表示する。この図９に示すレンズリスト３ｅの内容は第１の実施の形態と同様のため、説明を省略する。また、第２の実施の形態では、第１の実施の形態で上述した図１は、第１の実施の形態と同様のため説明を省略する。
【００３２】
図９は、第２の実施の形態におけるレンズリスト表示処理の流れを示すフローチャートである。図９に示す処理は、使用者によってカメラ１００のモードがレンズリストを表示するためのレンズリスト表示モードに設定されると起動するプログラムとして、制御装置１０４によって実行される。
【００３３】
ステップＳ１１０において、制御装置１０４は、第１の実施の形態と同様に、モニタ１０６にプレビュー画像３ａを表示する。その後、ステップＳ１２０へ進み、制御装置１０４は、使用者によるプレビュー画像３ａ内の任意の範囲の指定を受け付ける。すなわち任意の範囲のクロップを受け付ける。その後、ステップＳ１３０へ進む。
【００３４】
ステップＳ１３０では、制御装置１０４は、使用者によって指定された範囲に基づいて、その指定範囲が示す画角を算出する。なお、クロップ範囲から画角を算出する方法は公知の処理であるため説明は省略する。その後、ステップＳ１４０へ進み、制御装置１０４は、ステップＳ１３０で算出した画角から該画角に相当する焦点距離への換算を行う。例えば、あらかじめ画角と焦点距離とを対応付けた換算表をフラッシュメモリに記録しておき、制御装置１０４は、該換算表を参照して、画角から焦点距離への換算を行う。なお、撮影距離によってレンズ１０２の画角が変化することを考慮して、撮影距離ごとの換算表を作っておくようにしてもよい。その後、ステップＳ１５０へ進む。
【００３５】
ステップＳ１５０では、制御装置１０４は、フラッシュメモリに記録されているレンズ管理情報に基づいて、登録されている複数のレンズ１０２の中から、ステップＳ１４０で算出した焦点距離をカバーするレンズ１０２を抽出することにより、レンズリスト３ｅに含めるレンズ情報を検索する。その後、ステップＳ１６０へ進み、制御装置１０４は、ステップＳ１５０で抽出したレンズ情報を一覧表示したレンズリスト３ｅをプレビュー画像３ａに重畳して表示する。なお、この場合も、第１の実施の形態と同様に、制御装置１０４は、高い画質が得られるレンズ１０２のレンズ情報がリストの上位にくるようにレンズリスト３ｅを表示する。その後、処理を終了する。
【００３６】
以上説明した第２の実施の形態によれば、制御装置１０４は、プレビュー画像３ａ上で使用者によって指定された範囲を撮影可能なレンズ１０２のリストをプレビュー画像３ａ上に重畳表示するようにしたので、使用者は、プレビュー画像３ａ上で所望の撮影範囲を指定するだけで、どのレンズ１０２がその撮影範囲をカバーしているかを容易に把握することができるという作用効果を得ることができる。
【００３７】
―変形例―
なお、上述した実施の形態のカメラは、以下のように変形することもできる。
（１）上述した第１の実施の形態では、図４や図５に示したように、制御装置１０４は、プレビュー画像３ａ内に、使用者によって選択されたレンズ１０２の焦点距離に応じた画角を示す枠を表示する例について説明した。しかしながら、制御装置１０４は、使用者によって選択されたレンズ１０２の焦点距離に応じた画角を示す枠内の画像を拡大してモニタ１０６に全画面表示するようにしてもよい。あるいは、制御装置１０４は、プレビュー画像３ａ内に、使用者によって選択されたレンズ１０２の焦点距離に応じた画角を示す枠を表示するとともに、該枠の外側を枠の内側とは異なる表示形態で表示するようにしてもよい。例えば、制御装置１０４は、使用者によって選択されたレンズ１０２の画角を示す枠の外側の色をグレー等に変更してマスクをかけるようにしてもよい。これらの処理により、使用者は、選択したレンズ１０２の画角をより直感的に把握することが可能となる。
【００３８】
（２）上述した第１の実施の形態では、制御装置１０４は、使用者によってレンズリスト３ｅからズームレンズのレンズ情報が選択された場合には、図５に示したように、プレビュー画像３ａ内に、ズームレンズの最も広角側の焦点距離の画角を示す枠５ａと、最も望遠側の焦点距離の画角を示す枠５ｂとの２段階の枠を表示する例について説明した。しかしながら、制御装置１０４は、選択されたズームレンズが対応する焦点距離に応じた複数の画角を示す枠を３段階以上で段階的に表示するようにしてもよい。これによって、使用者は、レンズリスト３ｅ内からズームレンズのレンズ情報を選択することにより、そのズームレンズのズーム範囲内の画角をより詳細に把握することができる。
【００３９】
（３）上述した第１および第２の実施の形態では、制御装置１０４は、高い画質が得られるレンズ１０２のレンズ情報がリストの上位にくるようにレンズリスト３ｅを表示する例について説明した。しかしながら、レンズリスト３ｅの表示順は画質順ではなく、レンズ１０２の重量順やＦ値が高い順としてもよい。また、レンズリスト３ｅの表示順を画質順、重量順、Ｆ値の高い順のいずれにするかは使用者が任意に切り替えできるようにしてもよい。また、レンズリスト３ｅの表示順を使用者が任意に変更できるようにしてもよい。あるいは、制御装置１０４は、プレビュー画像３ａを解析して、解析結果に応じてレンズリスト３ｅの表示順を変更してもよい。
【００４０】
（４）上述した第１および第２の実施の形態では、あらかじめフラッシュメモリに使用者が所有しているレンズ１０２、使用者が外出先に持ち出すレンズ１０２、カメラに着脱可能な発売中のレンズ１０２のレンズ管理情報を登録して記録しておく例について説明した。この場合、例えば使用者が所有しているレンズ１０２のレンズ管理情報を登録する場合には、上述したように使用者が登録画面上でそれぞれのレンズ管理情報を登録する方法以外に、レンズ１０２からカメラ１００へ無線通信によりレンズ管理情報を送信できるようにして、該無線通信により自動的にレンズ管理情報を登録するようにしてもよい。これによりレンズ管理情報の登録を容易に行うことができる。また、カメラに着脱可能な発売中のレンズ１０２のレンズ管理情報を登録する場合には、レンズメーカーが提供するレンズ管理情報を読み込んで登録することにより、レンズ管理情報を更新するようにしてもよい。これにより、レンズ１０２の新製品が発売された場合でも新製品のレンズ管理情報を容易に登録することができる。
【００４１】
（５）上述した第１および第２の実施の形態では、本発明をカメラに適用する例について説明した。しかしながら、パソコン等を用いて、複数のレンズの画角をシミュレートする場合にも本発明は適用可能である。
【００４２】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００４３】
１００  カメラ、１０１  操作部材、１０２  レンズ、１０３  撮像素子、１０４  制御装置、１０５  メモリカードスロット、１０６  モニタ
【図１】
2013174719.tif 000003
【図２】
2013174719.tif 000004
【図３】
2013174719.tif 000005
【図４】
2013174719.tif 000006
【図５】
2013174719.tif 000007
【図６】
2013174719.tif 000008
【図７】
2013174719.tif 000009
【図８】
2013174719.tif 000010
【図９】
2013174719.tif 000011